(57)【要約】【課題】ホースの巻く量の変動に対し柔軟に対応可能であること、大量生産が可能であり、軽量かつ単純な構造で、耐久性があるホースハンガーの開発を目標とする。【解決手段】本発明のホースハンガーは、略半円形状乃至円弧状に湾曲した巻取り軸部を形成する巻取フレームと、該巻取フレームの一方の端に、該軸部と交叉する如く形成されたサイドフレームと、該巻取フレームの他の端に、該軸部と交叉する如く形成された保持フレームからなるホースハンガーにおいて、サイドフレーム及び保持フレームは、巻取フレームの両側面に、各々一体化されていることを特徴とする。そして、上記ホースハンガーにおいて、巻取軸とサイドフレーム、保持フレームとの交叉角度が、ほほ直角で、サイドフレーム、保持フレーム及び巻取フレームの一体化法として螺合で、サイドフレーム及び保持フレームの先端は、ホースの巻き取りを容易にするため外側に湾曲した構造となっている。【選択図】      図１
2005008384.tif 000002
【特許請求の範囲】
【請求項１】
略半円形状乃至円弧状に湾曲することにより巻取り軸部を形成する巻取フレームと、該軸部と交叉する如く該巻取フレームの一方の側面で形成されたサイドフレームと、
同様に該軸部と交叉する如く該巻取フレームの他方の側面で、該軸部と交叉する如く形成された保持フレームからなるホースハンガーにおいて、
サイドフレーム及び保持フレームは、巻取フレームの両側面で、各々一体化されている
ことを特徴とするホースハンガー。
【請求項２】
請求項１のホースハンガーにおいて、
巻取フレームには、サイドフレームと保持フレームを連結するためのネジ孔を有し、かつ、該巻取フレームは、適度の厚みを保って形成されていることを特徴とするホースハンガー。
【請求項３】
請求項１のホースハンガーにおいて、
巻取軸とサイドフレーム乃至保持フレームとの交叉角度がほほ直角で、
かつ保持フレーム及びサイドフレームの内側の面に凸部乃至凹部を設けることにより、巻取軸を一定位置に導き、かつ、外面の荷重を支える構造となっていることを
特徴とするホースハンガー。
【請求項４】
請求項１〜請求項３のホースハンガーにおいて、
サイドフレーム、保持フレーム及び巻取フレームの一体化法として、螺合であることを特徴とするホースハンガー。
【請求項５】
請求項１〜請求項３のホースハンガーにおいて、
サイドフレーム及び保持フレームの先端は、ホースの巻き取りを容易にするため中心軸から周辺方向に向け外側に湾曲した構造となっていることを特徴とするホースハンガー。
【請求項６】
請求項１〜請求項５のホースハンガーにおいて、
サイドフレーム及び保持フレームには、軽量化と美観付与のための飾りが設けられていることを特徴とするホースハンガー。
【請求項７】
請求項１〜請求項５のホースハンガーにおいて、
巻取フレームの外面は、連続した面から形成されていることを特徴とするホースハンガー。
【請求項８】
請求項１〜請求項５のホースハンガーにおいて、
サイドフレームには、柱、壁、格子状のラティスに、係留ネジ、フックなどで留めるための孔が設けられていることを特徴とするホースハンガー。
【請求項９】
請求項１〜請求項５のホースハンガーにおいて、
保持フレームよりサイドフレームを大きくして、係留ネジ、フックなどで留めるための動作をしやすくかつ取付壁などの汚れ防止をなしたことを特徴とするホースハンガー。
【請求項１０】
請求項１〜請求項５のホースハンガーにおいて、
保持フレーム乃至サイドフレームにノズル掛け用の溝や孔が設けられていることを特徴とするホースハンガー。
【発明の詳細な説明】
【０００１】
【発明の属する技術分野】
本発明は、ホースを巻いた状態で収納するためのホースハンガーに関する。
【０００２】
【従来の技術】
従来、庭や玄関などで散水するためのホースの収納方法として、巻取りドラムに巻く方法が知られている（特許文献１）。このとき多くの場合、プラスチックスで作成されており、使用にともないカビが発生して外観が悪くなったり、ひび割れが発生するなどの欠点がある。また、ホースを巻いて収納するため、先端部を固定する固定用筒体と、ホースを巻いて収納するホース収納器具が公知である（特許文献２）が、ホースの巻く量を変更しようとすると、全体の設計変更が必要になる。また多くの場合、ホース受け部の形状が連続面でなく断続的であるため、長時間保管するとホースに跡がつきやすく、円滑な通水の妨げになり、外観が悪く、ニーズに合わない欠点がある。またホース収納器具が鉄製であると重量が重くなり、錆びやすい欠点もある。
【０００３】
【特許文献１】
特開平９−１９４１４６号公報。
【特許文献２】
特開平１０−１９６８４５号公報。
【０００４】
【発明が解決しようとする課題】
ホースの巻く量の変動に対し柔軟に対応可能であること、大量生産が可能であり、軽量かつ単純な構造で、耐久性があり、美観に優れたホースハンガーの開発を目標に鋭意研究の結果本発明に到達したのである。
【０００５】
【課題を解決するための手段】
上記目的を達成するため、以下に述べるホースハンガーを使用することで解決できる。即ち本発明は、
（１）略半円形状乃至円弧状に湾曲することにより巻取り軸部を形成する巻取フレームと、該軸部と交叉する如く該巻取フレームの一方の側面で形成されたサイドフレームと、
同様に該軸部と交叉する如く該巻取フレームの他方の側面で、該軸部と交叉する如く形成された保持フレームからなるホースハンガーにおいて、
サイドフレーム及び保持フレームは、巻取フレームの両側面で、各々一体化されていることを特徴とする。
（２）  （１）のホースハンガーにおいて、
巻取フレームには、サイドフレームと保持フレームを連結するためのネジ孔を有し、かつ、該巻取フレームは、適度の厚みを保って形成されているとよい。
（３）  （１）のホースハンガーにおいて、
巻取軸とサイドフレーム乃至保持フレームとの交叉角度がほほ直角で、
かつ保持フレーム及びサイドフレームの内側の面に凸部乃至凹部を設けることにより、巻取軸を一定位置に導き、かつ、外面の荷重を支える構造となっているとよい。
（４）  （１）〜（３）のホースハンガーにおいて、
サイドフレーム、保持フレーム及び巻取フレームの一体化法として螺合であるとよい。
（５）  （１）〜（３）のホースハンガーにおいて、
サイドフレーム及び保持フレームの先端は、ホースの巻き取りを容易にするため中心軸から周辺方向に向け外側に湾曲した構造となっているとよい。
（６）  （１）〜（５）のホースハンガーにおいて、
サイドフレーム及び保持フレームには、軽量化と美観付与のための飾りが設けられているとよい。
（７）  （１）〜（５）のホ−スハンガーにおいて、巻取フレームの外面は、連続した面から形成されているとよい。
（８）    （１）〜（５）のホースハンガーにおいて、
サイドフレームには、柱、壁、格子状のラティスに、係留ネジ、フックなどで留めるための孔が設けられているとよい。
（９）（１）〜（５）のホースハンガーにおいて、
保持フレームよりサイドフレームを大きくして、係留ネジ、フックなどで留めるための動作をしやすくかつ取付壁などの汚れ防止とするとよい。
（１０）  （１）〜（５）のホースハンガーにおいて、
保持フレーム乃至サイドフレームにノズル掛け用の溝や孔が設けられていることを特徴とするホースハンガー。
【０００６】
本発明で用いるホーズハンガーには、好ましくはアルミニュームまたはアルミニューム合金が使用される。これにより、軽量かつ剛性が高く、錆び難いホースハンガーを提供できる。
【０００７】
略半円形状乃至円弧状に湾曲した巻取り軸部を形成する巻取フレームは、押し出し成形により製造され、外面と内面からなる。巻取フレームを作成するにはまずフレームを作成し切断して作成される。
フレームの外面の外側は連続した面を形成し、内面乃至外面と内面の連結部には、ネジ孔を有している。
ここで、フレームの外面は連続した面であるため、ホースハンガーとしたとき、ホースの変形や折れ癖がつき難くなる。また、内面乃至外面と内面の連結部に、組付けを容易にするためのネジ孔を有する形状であり、フレームを希望の寸法に切断することができる。
なお、外面の連続した面としては、凹凸の少ない鏡面でもよいし、凹凸のある梨地であってもよい。そして、巻取フレームは、好ましくは中空構造で適度の厚みを有する外面と内面からなる２つの面と、面の間のブリッジ（間仕切り）からなり、橋桁の如き形状をしている。２つの面の接点で接合した方が１つの面の接点で支えるより安定であるし、中空構造とした方が剛性を高め、頑丈で軽量化をはかることができるし、螺合に有効なネジ孔を外部から見えなくするためのスペース確保に有利であるからである。
なお、製品のホースハンガーでは、巻取フレームにホースが巻かれることになる。
【０００８】
サイドフレームとは、ホースを巻取フレームに保持し、ホースハンガーとしたときに壁、ラティス側に取り付けに用いるフレームである。保持フレームとは、壁、ラティスなどと反対側にあるフレームで、ホースを巻取フレーム上に保持するためのフレームである。そして、保持フレーム及びサイドフレームは、好ましくはアルミニュームで、好ましくは鋳造により作成される。そして、保持フレーム及びサイドフレームは、巻取フレームの軸に対し、あたかも橋の欄干のごとく、ほぼ直角に取り付けられる。ほぼ直角とは、９０±１０度程度の角をいう。直角から外れると、外観が悪化するのみならず、組みつけ強度の低下や部品の製造が困難となるからである。
取付け方法としては、溶接やボルト・ナットを使用する方法、接着剤を使用する方法もあるが、ネジを使用する螺合が好ましい。組付を容易かつ確実に行い、かつ安価にすることが可能であるからである。
【０００９】
そして、サイドフレーム及び保持フレームには、軽量化と美観を与えるため飾りが、装飾風に設けられ、機能性と美観を有していいる。
また、ホースを収納していない場合、装飾品の如き外観とすることも可能となる。
【００１０】
また、サイドフレーム及び保持フレームは、図５に示す様に、ホースの巻き取りを容易にするため、中心軸から周辺方向に向け外側に湾曲した構造となっている。ホースハンガーに、ホースを巻き取る際、ホースの走行位置が変動しても、円滑に巻き取り可能で、ホースを使用する際にも取出し乃至解き易くするためである。
【００１１】
サイドフレームの飾りには、柱、壁、格子状のラティスに、係留ネジ、フックなどで留めるための孔が設けられているとよい。
これにより、容易に、ホースハンガーを吊るしたり、固定することが可能となる。
また、保持フレームよりサイドフレームを大きくすると、フックや係留ネジなどで留めるためのドライバーなどの操作がしくすく、ホースの巻取りに際しても、サイドフレームを通り越してホースが壁やラティス等を汚さぬようにすることが可能となるからである。なお、ノズル掛け用の溝や孔を設けても良い
【００１２】
【発明の実施の態様】
以下に、本発明の一実施例について、説明する。
図１は、本発明ホースハンガー１の斜視図である。湾曲した帯状の中空構造となった巻取フレーム２があり、片方の端にサイドフレーム３、他方の端に保持フレーム４が、あたかも橋の欄干の如く取り付けられている。図２は、組立図を示しておりネジ５を用いて組み立てられる。押出しで製造されたネジ孔１３に外部からタッピングネジ（図示せず）で締め付けることでネジ結合を行うことができる。
なお、巻取フレーム２は、軽量化のため、内部は中空になっている。また、サイドフレーム３、保持フレーム４には、巻取フレーム２の位置を決める爪１６が付いており、組付けを容易にする役割を果たしている。
【００１３】
図３は、本発明ホースハンガーを壁に取付けたときの使用状況を示す斜視図である。巻取フレーム２にホース６は巻かれ、保持フレーム４及びサイドフレーム３には、軽量化と装飾のための保持フレーム飾り１４、サイドフレーム飾り１５が設けられている。
住宅の壁９などに、係留ネジ８を用いて取り付けられる。
【００１４】
図４は、本発明ホースハンガーを、木材で作成した格子であるラティス１０に取付けたときの使用状況を示す斜視図である。取付けには一方の端がＵ字形に曲がったフック１１が使用できる。
【００１５】
図５は、ホース６及びホースハンガー１の断面図である。ホース６の巻き取りを容易にするためフレーム内側に凸に湾曲した構造となっている。ホース６を巻き取る際、ホース６の位置の変動しても、円滑に巻き取り可能で解きやすく作用するからである。また、図５より、巻取軸と、サイドフレーム３乃至保持フレーム４との交叉角度がほほ直角で、かつサイドフレーム３及び保持フレーム４が、荷重を受けるサイドフレーム凸部１７、保持フレーム凸部１８を備えていることがわかる。またサイドフレーム３が保持フレーム４より大きく係留ネジ８、フック１１などで留めるための動作をし易く壁９などの汚れ防止をはかることが可能となる。
また、図６に示す様に、保持フレーム及びサイドフレームにノズル掛け用の溝または孔を設けることもできる。図７は、ホースハンガー１の断面図である。巻取軸を一定位置に導きかつ軸にかかる荷重を支えるため、フレーム内側に凹に湾曲した構造となっている。即ち、保持フレーム及びサイドフレームの巻取フレームに近い部分が巻取フレームの中心線に向け凹の構造となっている。
【発明の効果】
以上の説明によって明らかな様に、本発明によるホースハンガーは以下のような効果を有する。
（ａ）  本発明のホースハンガーは、家の壁際などにホースをコンパクトに収納可能である。
（ｂ）  本発明のホースハンガーは、好ましくはアルミニュームで作成されており、軽量で錆びることもない。また、樹脂の場合のような破損や劣化に伴うヒビ割れが発生することもない。
（ｃ）  本発明のホースハンガーは、機械的には単純であり、故障がほとんど発生せず、耐久性も優れている。
（ｄ）  本発明のホースハンガーは、巻取フレーム、サイドフレーム、保持フレームの三部品から基本的に成り立っている。ホース巻量の増減を希望するときは、押出成型品を所望の寸法に切断することで対応可能であり、使用するホースの量の変動に対し柔軟に対応できる。
（ｅ）  サイドフレーム、保持フレームに装飾を施すことが可能であり、ホースを巻かないときは、装飾品として利用できる。
（ｆ）  サイドフレームを保持フレームより大きくすることにより、ホースハンガーの取付けが容易で壁面の汚れを防ぐ。
（ｇ）  サイドフレーム、保持フレームの端が外側に曲げてあり、ホースの巻上げや解くことが容易である。
【図面の簡単な説明】
【図１】本発明のホースハンガーの斜視図である。
【図２】本発明のホースハンガーの組立図である。
【図３】本発明ホースハンガーを壁に取付けたときの使用状況を示す斜視図である。
【図４】本発明ホースハンガーをラティスに取付けたときの使用状況を示す斜視図である。
【図５】保持フレーム、サイドフレームの断面図である。
【図６】散水ノズル及びノズル掛け用の溝または孔を有する保持フレームの斜視図である。
【図７】保持フレーム、サイドフレームの断面図である。
【符号の説明】
１    ホースハンガー
２    巻取フレーム
３    サイドフレーム
４    保持フレーム
５    ネジ
６    ホース
７    ノズル
８    係留ネジ
９    壁
１０  ラティス
１１  フック
１２  係留用孔
１３  ネジ孔
１４  保持フレーム飾り
１５  サイドフレーム飾り
１６  爪
１７  サイドフレーム凸部
１８  保持フレーム凸部
１９  ノズル掛け用の溝または孔
２０  サイドフレーム凹部
２１  保持フレーム凹部
２２  散水ノズル
【図１】
2005008384.tif 000003
【図２】
2005008384.tif 000004
【図３】
2005008384.tif 000005
【図４】
2005008384.tif 000006
【図５】
2005008384.tif 000007
【図６】
2005008384.tif 000008
【図７】
2005008384.tif 000009